(57)【要約】食器洗いキットが、泡生成分配器と容器内の食器洗い組成物とを有する容器を含む。食器洗い組成物は、界面活性剤システム及び溶媒を含有する。泡生成分配器は、食器洗い組成物と共に使用される時、約２ｍｌ／ｇより大きい泡対重量の比を有する泡を生成することができる。
2006515643.tif 000002
【特許請求の範囲】
【請求項１】
食器洗いキットであって、
Ａ．泡を生成するための泡生成分配器を備える容器と、
Ｂ．前記容器内に含有される食器洗い組成物と
を含み、前記食器洗い組成物が、
ｉ．界面活性剤システムと、
ｉｉ．溶媒
とを含み、
前記泡生成分配器が、前記食器洗い組成物と共に使用される時、約２ｍｌ／ｇより大きい泡対重量の比を有する泡を生成する、食器洗いキット。
【請求項２】
前記食器洗い組成物が、酵素を更に含む請求項１に記載の食器洗いキット。
【請求項３】
成形アプリケータを更に含む請求項１に記載の食器洗いキット。
【請求項４】
前記泡生成分配器が、ガス付与機構を含む請求項１に記載の食器洗いキット。
【請求項５】
前記食器洗い組成物が、マイクロエマルション及びプロトマイクロエマルションからなる群から選択される、請求項１に記載の食器洗いキット。
【請求項６】
食器洗いキットであって、
Ａ．泡を生成するための泡生成分配器を備える容器と、
Ｂ．前記容器内に含有される食器洗い組成物と
を含み、前記食器洗い組成物が、
ｉ．界面活性剤システムと、
ｉｉ．溶媒と
を含み、
前記食器洗い組成物が、前記泡生成分配器から分配される時、希釈範囲の少なくとも約５０％の有効泡立ち希釈範囲を有する、食器洗いキット。
【請求項７】
食器洗いキットであって、
Ａ．泡を生成するための泡生成分配器を備える容器と、
Ｂ．前記容器内に含有される食器洗い組成物と
を含み、前記食器洗い組成物が、
ｉ．界面活性剤システムと、
ｉｉ．溶媒と
を含み、
前記食器洗い組成物が、前記泡生成分配器から分配される時、有効泡立ち希釈範囲及び有効油可溶化希釈範囲を有し、並びに前記有効泡立ち希釈範囲が、前記有効油可溶化希釈範囲に重なり合う、食器洗いキット。
【請求項８】
食器洗いキットであって、
Ａ．泡を生成するための泡生成分配器を備える容器と、
Ｂ．前記容器内に含有される食器洗い組成物と
を含み、前記食器洗い組成物が、
ｉ．界面活性剤システムと、
ｉｉ．溶媒と
を含み、
前記泡生成分配器から分配される時、前記食器洗いキットが、石鹸泡シリンダー試験による最大容積の泡が形成される希釈とはかなり異なる、食器洗い組成物の水に対する希釈で泡を生成する、食器洗いキット。
【請求項９】
請求項１、６、７、又は８のいずれか一項に記載の食器洗いキットと共に使用するための成形アプリケータ。
【請求項１０】
食器洗い組成物であって、
Ａ．界面活性剤システムと、
Ｂ．溶媒と、
Ｃ．前記食器洗い組成物を泡生成分配器と組み合わせて使用するための推奨法を含む取扱説明一式と
を含み、前記泡生成分配器が、前記食器洗い組成物と共に使用される時、前記食器洗い組成物の１ｍｌ当り少なくとも約２ｍｌの泡を生成し、並びに前記泡が、約２ｍｌ／ｇより大きい泡対重量の比を有する、食器洗い組成物。
【請求項１１】
洗浄キットであって、
Ａ．泡を生成するための泡生成分配器を備える容器と、
Ｂ．前記容器内に含有される組成物と
を備え、前記組成物がマイクロエマルション及びプロトマイクロエマルションからなる群から選択され、並びに前記組成物が、
ｉ．界面活性剤システムと、
ｉｉ．溶媒と
を含み、前記泡生成分配器が、前記組成物と共に使用される時、約２ｍｌ／ｇより大きい泡対重量の比を有する泡を生成する、洗浄キット。
【請求項１２】
組成物が、有効泡立ち希釈範囲及び有効油可溶化希釈範囲を有し、並びに前記有効泡立ち希釈範囲が、前記有効油可溶化希釈範囲に重なり合う、請求項１１に記載の洗浄キット。
【発明の詳細な説明】
【技術分野】
【０００１】
本発明は、洗浄組成物及びその容器に関する。特に、本発明は、洗浄組成物及び泡生成分配器に関する。
【背景技術】
【０００２】
洗浄中、特に食器洗い中、更に食器手洗い中には、食器洗い組成物の適切な濃度及び／又は水希釈要因の直接表示として、多量の泡が見られる。消費者洗浄製品では、消費者は、組成物が油及び汚れを如何によく洗浄しているか及び／又は落しているかの表示としても石鹸泡を見る。洗浄性能は泡レベルに直接関係すると見られていて、泡レベルが下がると洗浄性能が低下していると知覚されるので、泡のレベルが下がるか又は泡の容積が減った時に、食器洗いをしている人が食器洗い組成物を更に添加するのは自然な習慣である。そのような直接的な関係は、過去においては、例えば石鹸系の洗剤だけが存在した時には、事実であったが、最近のある界面活性剤システムを考える時には、この消費者認識は正しくない。
【０００３】
マイクロエマルション及びその他の最近のある洗浄組成物を使用する際には、泡立ち特性が最も有効な洗浄濃度に直接的に対応しない可能性があることが、今では判明している。例えば、伝統的な非イオン性界面活性剤系のマイクロエマルションは、食器手洗い中に生じるような普通の撹拌でさえ泡が殆ど又は全く発生しない希釈レベルで、そのグリース吸収最大能力を有することができる。実際、ある種のマイクロエマルションシステムでは、マイクロエマルションそのものが、標準的な食器洗い中の泡形成を妨げるか又は減少するように作用する。同様に、アルキルエトキシサルフェートを含有する高濃度陰イオン性界面活性剤システムは、食器、平皿、及びプラスチックからでもかなりの量のグリース及び油を有効及び効率的に除去可能であるにもかかわらず、著しい泡立ち特性は有さないことがある。しかしながら、その組成物が石鹸泡に欠けていて、ひいては（間違いではあるが）受容可能な洗浄性能も不足であるように見えるので、消費者は、そのような食器洗い組成物を購入及び使用することを嫌がる。そのような泡の欠如を克服するために、化学的な石鹸泡増強剤が、多数の食器手洗い調合物に添加されているが、そのような石鹸泡増強剤は、高価であり得る上、実際の洗浄効果は殆ど又は全く提供しない。石鹸泡増強剤は、調合コストの増大に加えて、ある界面活性剤システムと両立しないこともある。
【０００４】
容器、特に泡を形成するための分配容器は、引き金噴霧器及びエアゾール技術、便器洗浄技術、ひげ剃り泡技術、並びに手及び体洗い技術において周知である。そのような分配器は、典型的には、空気注入ピストン、噴射ガス、泡生成開口、及び／又は液体石鹸が容器から出る時に、これと乱流的に混合される加圧ガスなどのガス注入機構を含む。この乱流混合及び／又は泡生成開口の採用により、泡が作り出され、次にこれが、手及び／又は体を洗うのに使用される。そのような泡立つ手及び体の洗浄剤は、容易に及び均一に皮膚全体に広がる間に、皮膚に優しく穏和であると信じる消費者により特に好まれる。加えて、泡生成分配器は、洗車、産業洗浄などの洗浄目的にも既知であるが、そのような泡生成分配器は、これまでのところ、食器洗い組成物を入れて分配するためには使用されていない。
【発明の開示】
【発明が解決しようとする課題】
【０００５】
それ故に、石鹸泡増強剤の必要性なしに、受容可能な泡立ちを有する改良された洗浄及び／又は食器洗い組成物が必要とされる。油の可溶化が最大限である泡を生成し、使用中に受容可能な泡を形成する希釈におけるものより、食器洗い組成物の油可溶化特性が高い希釈において受容可能な泡を提供する、洗浄及び／又は食器洗いキットも必要とされる。
【課題を解決するための手段】
【０００６】
本発明は、泡生成分配器と容器内の食器洗い組成物とを有する容器を含有する食器洗いキットに関する。食器洗い組成物は、界面活性剤システム及び溶媒を含有する。泡生成分配器は、食器洗い組成物と共に使用される時、約２ｍｌ／ｇより大きい泡対重量の比を有する泡を生成する。
【０００７】
本発明はまた、泡生成分配器と容器内の食器洗い組成物とを有する容器を含有する食器洗いキットに関する。食器洗い組成物は、界面活性剤システム及び溶媒を含有する。食器洗い組成物は、泡生成分配器から分配される時、希釈範囲の少なくとも５０％の有効泡立ち希釈範囲を有する。
【０００８】
本発明はまた、泡生成分配器と容器内の食器洗い組成物とを有する容器を含有する食器洗いキットに関する。食器洗い組成物は、界面活性剤システム及び溶媒を含有する。食器洗い組成物は、泡生成分配器から分配される時、有効油可溶化範囲と重なり合う有効希釈範囲を有する。
【０００９】
本発明はまた、泡生成分配器と容器内の食器洗い組成物とを有する容器を含有する食器洗いキットに関する。食器洗い組成物は、界面活性剤システム及び溶媒を含有する。泡生成分配器から分配される時、食器洗いキットは、石鹸泡シリンダー試験による最大泡容積が形成される希釈とはかなり異なる食器洗い組成物の水に対する希釈で泡を生成する。
【００１０】
本発明はまた、界面活性剤システム、溶媒、及び取扱説明一式を含む食器洗い組成物に関する。取扱説明一式は、泡生成分配器と組み合わせて食器洗い組成物を使用するための推奨を含む。泡生成分配器は、食器洗い組成物と共に使用される時、食器洗い組成物の１ｍｌ当り少なくとも約２ｍｌの泡を生成し、その泡は、約２ｍｌ／ｇより大きい泡対重量の比を有する。
【００１１】
最後に、本発明はまた、泡生成分配器と、容器内のマイクロエマルション及び／又はプロトマイクロエマルション組成物とを有する容器を含有する洗浄キットに関する。組成物は、界面活性剤システム及び溶媒を含有する。泡生成分配器は、組成物と共に使用される時、約２ｍｌ／ｇより大きい泡対重量の比を有する泡を生成する。
【００１２】
泡生成分配器と食器洗い組成物の組み合わせが、受容可能な泡立ちと、より高い油可溶化特性との両方を同時に提供できることが今では判明している。理論により限定されることは意図しないが、水希釈の関数としてプロットする時、特にマイクロエマルション食器洗い組成物及び／又はプロトマイクロエマルション食器洗い組成物の場合、典型的な使用中の石鹸泡生成曲線と油可溶化曲線は、はっきりと重なり合わない傾向であると考えられている。しかしながら、食器洗い組成物を分配する泡生成分配器の採用により、ユーザーは、食器洗い組成物を使用するように積極的に意図付けられ、その時、油可溶化及び洗浄がより有効になる。したがって、そのような組み合わせは、著しくよりきれいな食器類、骨折りの減少、調合コストの低減、及び食器洗い組成物のより有効な使用という結果になると考えられる。
【００１３】
本発明のこれら及び他の特徴、観点、利点、及び変更、並びに本明細書記載の実施形態は、付随する請求項と共に本開示内容を読めば、当業者には明白であろう。また、これらは請求項の範囲内に包含される。
【発明を実施するための最良の形態】
【００１４】
本明細書は、本発明を特定して指摘し明確に請求する請求項にまとめられているが、本発明は、添付図面の次の説明からよりよく理解されるものと考えられ、図中、同じ参照数字は同じ要素を指す。
本明細書の図面は、必ずしも一定の比率の縮尺で描かれてはいない。
本明細書における全てのパーセント、比率及び割合は、特に指定しない限り、最終食器洗い組成物の重量による。温度は、特に指定しない限り、すべて摂氏（℃）で示す。
【００１５】
用語「含む」は、本明細書において使用する時、最終結果に影響しない他の段階、成分、要素などを加え得ることを意味する。この用語は、「からなる」及び「から本質的になる」という用語を包含する。
【００１６】
用語「食器」は、本明細書において使用する時、食物と接触する前又は後で洗われ、食物準備プロセス及び／又は食物給仕の際に使用される、いずれかの食器、卓上食器、調理食器、ガラス食器、食事器具、まな板、食物準備設備などを意味する。
【００１７】
用語「泡」及び「石鹸泡」は、本明細書において使用する時、互換的に使用され、液相で境界を定められて液相中に浮遊する、分離性のガス気泡を表わす。
【００１８】
用語「マイクロエマルション」は、本明細書において使用する時、油を目に見えない液滴に乳化する能力を有する、水中油型エマルションを意味する。そのような目に見えない液滴は、波長８８０ナノメートルで濁度を測定するＩＳＯ７０２７などの当技術分野で既知の方法により測定する時、典型的には約１００オングストローム（Å）未満、好ましくは５０Å未満の最大直径を有する。濁度測定設備は、例えば、米国コネチカット州（Stamford,Connecticut）のオメガエンジニアリング社（Omega Engineering,Inc.）から、容易に入手可能である。
【００１９】
用語「プロトマイクロエマルション」は、本明細書において使用する時、水で希釈されてマイクロエマルションを形成可能な組成物を意味する。
【００２０】
（容器）
本明細書で有用な容器は、食器洗い組成物を保持するための中空体を有し、典型的にはプラスチック、ガラス、及び／又は金属で形成されたビン又は缶であり、好ましくは、ポリエチレン、ポリプロピレン、ポリエチレンテレフタレート、ポリカーボネート、ポリスチレン、エチルビニルアルコール、ポリビニルアルコール、熱可塑性エラストマー、及びこれらの組み合わせなどのポリマー又は樹脂で形成されるが、当技術分野で既知の他の材料を使用してもよい。そのような容器は、典型的には、約１００ミリリットル〜約２リットル、好ましくは約１５０ミリリットル〜約１．２リットル、より好ましくは約２００ミリリットル〜約１リットルの液体を保持し、液体消費者製品の保持用として周知である。そのような容器は、多数の包装供給元から広範囲に入手可能である。
【００２１】
直接的又は間接的のいずれかで容器に操作可能に取り付けられているのは、泡を生成するための泡生成分配器である。泡生成分配器は、活性化されると泡を生成し、同時に、容器から泡／食器洗い組成物を分配する。泡生成分配器は、容器と一体に形成されても又は別個に形成されてもよい。別個に形成される場合、泡生成分配器は、トランジションピース、対応するねじ付きの雄及び雌部材、加圧及び無加圧封止、型締め及びスナップ留め部品、及び／又は当技術分野で既知の他の方法の採用など、当技術分野で既知の方法により容器に取り付けることができる。好ましくは、泡生成分配器は、トランジションピース及び／又は対応するねじ付きの容易に再充填が可能な雄及び雌部材で容器に取り付けられる。
【００２２】
泡生成分配器は、化学反応、酵素反応、及び／又は機械的な作用などのいずれかの方法で、泡を生成することができる。しかしながら本明細書においては、機械的な作用が好ましく、典型的には、食器洗い組成物を分配する時に空気、窒素、二酸化炭素などのガスを乱流方法でその中へ直接付与して、泡を物理的に形成する目的の機構を含む。好ましくは、泡生成分配器は、例えば、噴射又は液化ガス、加圧ガス、エアゾールガス、空気注入ピストン、泡生成開口、衝突表面、メッシュ又はネット、ポンプ、及び／又は噴霧器、より好ましくは、大気から食器洗い組成物中へ空気を注入又は付与する、空気注入ピストン、ポンプ、衝突表面、メッシュ又はネット、及び／又は噴霧器などの、泡を形成するためのガスを付与する機構を含む。
【００２３】
泡生成分配器はまた、典型的には、アクチベータ、好ましくは、例えば、引き金、圧力で活性化されるポンプ作用機構、ボタン、及び／又はスライダー、より好ましくは、単一の指で活性化可能な、引き金及び／又は圧力で活性化されるポンプ作用機構などのマニュアルアクチベータを含む。アクチベータは、食器手洗いプロセス中のように、手が濡れている及び／又は滑りやすい時に消費者が容易に活性化可能であるように設計されるのが殊に好ましい。そのようなアクチベータは、分配速度及び分配量の両方をユーザーが容易に及び便利に制御できるようになっているべきである。産業又は公共施設などのある種の用途の場合、電子アクチベータ、計算機制御アクチベータ、光電管又は赤外線検知アクチベータ、手動レバー補助アクチベータなどの、他のアクチベータも有用であり得る。
【００２４】
図１は、好ましい実施形態の切り欠き図であるが、泡生成分配器１０がノズル１２を有し、これから泡立った食器洗い組成物が分配される。食器洗い組成物は、浸漬管１４を通って泡生成分配器へ入り、ボール１６を過ぎてシリンダー１８へ流れ込む。プラグ２０が、ボール１６の逃げを防ぐと共に、コイルばね２２及び内側ロッド２４を支持する。液体ピストン２６が吸引を作り出し、これが食器洗い組成物をボール１６及びプラグ２０を過ぎて液体チャンバ２８の中へ引張り、これにより泡生成分配器１０が準備される。一方、空気チャンバ３０及び空気ピストン３１も準備され、アクチベータ３２が押し下げられると、空気チャンバ３０からの空気と液体チャンバ２８からの食器洗い組成物との両方が、乱流状態でミキシングチャンバ３４の中へ押し込まれ、メッシュホルダー４０により適正な位置に両方が保持されている、第一のメッシュ３６と第二のメッシュ３８とを通過する。乱流空気／食器洗い組成物の混合物が第一のメッシュ３６を通ると、第一の粗い泡が生成されるが、これは第二のメッシュ３８を通過後に、より微細及び均一になる。第一のメッシュ及び第二のメッシュは、同一孔径を有しても、異なる孔径を有してもよい。また、所望により、追加メッシュを採用してもよい。
図１は、ベースキャップ４２も示すが、これは食器洗い組成物を保持する容器４４に泡生成分配器を固定する。
【００２５】
本明細書で有用な好ましい泡生成分配器には、オランダ（Helmond,The Netherlands）のアファポリテーク（Afa-Polytek）からのＴ８９００、ＯｐＡｄ  ＦＯ、８２０３及び７５１２シリーズ泡生成器；オランダ（Alkmaar,The Netherlands）又は米国フロリダ州（North Pompano Beach,Florida）のエアスプレーインターナショナル社（Airspray International,Inc.）からのＴ１、Ｆ２、及びＷＲ−Ｆ３シリーズ泡生成器；米国カリフォルニア州（City of Industry,California）のサンゴバンカルマー社（Saint-Gobain Calmar,Inc.）からのＴＳ−８００及びミクサー（Mixor）シリーズ泡生成器；日本国東京の大和製罐株式会社（Daiwa Can Company,Tokyo,Japan）からのポンプ泡生成器及び絞り泡生成器；米国ニュージャージー州（Hillsborough,New Jersey）のグアラディスペンシングＵＳＡ社（Guala Dispensing USA,Inc.）からのＴＳ１及びＴＳ２シリーズ泡生成器；並びに日本国東京の株式会社吉野工業所（Yoshino Kogyosho Co.,Ltd.,Tokyo,Japan）からのＹＴ−８７Ｌ−ＦＰ、ＹＴ−８７Ｌ−ＦＸ、及びＹＴ−９７シリーズ泡生成器が挙げられる。泡生成分配器については、日本語出版物、食品と容器（２００１年）、第４２巻、第１０号、６０９〜６１３ページ、食品と容器（２００１年）、第４２巻、第１１号、６７６〜６７９ページ、及び食品と容器（２００１年）、第４２巻、第１２号、７３２〜７３５ページにても検討されており、参照されたい。特に製品レオロジーのために性能の最適化を必要とする場合は、既存の泡生成分配器の変更及び修正も、本発明において有用であり得る。具体的には、空気ピストンに関する変更、例えば、製品ピストン容積比、メッシュ／ネットのサイズ、衝突角度などの変更と同様に、シリンダー、ロッド、浸漬管、ノズルなどの大きさ及び寸法の最適化が考えられる。
【００２６】
本明細書で有用な泡生成分配器は、約２ｍｌ／ｇより大きい、より好ましくは約３ｍｌ／ｇ〜約１０ｍｌ／ｇ、更により好ましくは約４ｍｌ／ｇ〜約８ｍｌ／ｇの泡対重量の比を有する泡を生成する。更に、本明細書で有用な泡生成分配器は、食器洗い組成物１ｍｌ当り少なくとも約２ｍｌ、好ましくは約３ｍｌ〜約１０ｍｌ、より好ましくは約４ｍｌ〜約８ｍｌの泡を生成する。全体にわたって比較的均一に分散された微細気泡を有する「クリームのような」及び「滑らかな」泡が、その審美的及び／又は性能特性のために特に好まれることがある。ある場合には、好ましい気泡は、３分間以上も液体には顕著に戻らないものが特に好まれる。具体的には、泡をきれいなガラス表面（例えば、パイレックス（登録商標）板）上に分配して２５℃で３分間放置する時、表れる液体は１ｍｍ未満であるべきである。好ましくは、３分間後に、泡の縁部に液体が見られない。しかしながら別の場合には、ある量の液体（すなわち、泡なし）もまた好ましいことも判明したが、これは、次にこの液体がアプリケータ（例えばスポンジ）の中へ浸透して、例えば、食器洗浄に使用される時に、高粘性組成物の使用距離を更に延ばすからである。
【００２７】
（洗浄及び／又は食器洗い組成物）
本明細書の洗浄組成物、及び特に食器洗い組成物は、典型的には、界面活性剤システム、溶媒、酵素、並びに染料、香料、増粘剤、ｐＨ調整剤、還元又は酸化漂白剤、臭い制御剤、酸化防止剤、及び遊離ラジカル阻害物質などの洗浄及び特に食器洗い技術において既知の１つ以上の任意成分、並びにこれらの混合物を含む。
【００２８】
本明細書の界面活性剤システムには、典型的に、陰イオン性界面活性剤、両性イオン性界面活性剤、陽イオン性界面活性剤、非イオン性界面活性剤、双極性界面活性剤、又はこれらの混合物、好ましくはアルキルスルフェート、アルコキシスルフェート、アルキルスルホネート、アルコキシスルホネート、アルキルアリールスルホネート、アミンオキシド、ベタイン又は脂肪族若しくは複素環式二級及び三級アミン誘導体、四級アンモニウム界面活性剤、アミン、単一又は多重アルコキシル化アルコール、アルキルポリグリコシド、脂肪酸アミド界面活性剤、Ｃ8〜Ｃ20のアンモニアアミド、モノエタノールアミド、ジエタノールアミド、イソプロパノールアミド、ポリヒドロキシ脂肪酸アミド及びこれらの混合物が挙げられる。本明細書で有用な界面活性剤は更に、所望により、分枝状及び／又は直鎖状であっても、置換されていても又は非置換であってもよい。「表面活性物質及び洗剤（Surface Active Agents and Detergents）」（第１巻及び第２巻、シュワルツ（Schwartz）、ペリー（Perry）、及びバーチ（Berch）による）も参照されたい。
【００２９】
本明細書で有用な溶媒は、典型的には、水、アルコール類、グリコール類、エーテルアルコール類、及びこれらの組み合わせからなる群、より好ましくは、水、グリコール、エタノール、グリコールエーテル類、水、及びこれらの組み合わせからなる群、更により好ましくは、プロピレンカーボネート、プロピレングリコール、トリプロピレングリコールｎ−プロピルエーテル、ジエチレングリコールｎ−ブチルエーテル、水、及びこれらの組み合わせからなる群から選択される。本明細書の溶媒は、溶液の好ましくは少なくとも約１２重量％、より好ましくは少なくとも約５０重量％の水中溶解度を有する。
【００３０】
製品粘度の減少及び／又は組成物にずり減粘若しくは非ニュートンレオロジー特性を付与可能な溶媒は、これらが相乗的に泡生成分配器と相互作用して、審美性の改善、調合の更なる容易さ、泡生成の増加、ポンプ輸送の更なる容易さを提供可能であるので、本明細書では特に好ましい。そのような溶媒は、一価、二価及び多価アルコール類、エーテル類、及びこれらの混合物を含む。プロピレンカーボネートのようなアルキルカーボネート類も好ましい。
【００３１】
本明細書で有用な酵素には、セルラーゼ、ヘミセルラーゼ、ペルオキシダーゼ、プロテアーゼ、グルコ−アミラーゼ、アミラーゼ、リパーゼ、クチナーゼ、ペクチナーゼ、キシラナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、及びこれらの混合物が含まれる。好ましい組み合わせは、プロテアーゼ、アミラーゼ、リパーゼ、クチナーゼ及び／又はセルラーゼのような従来の適用可能な酵素のカクテルを有する洗剤組成物である。酵素は、典型的には、約０．０００１重量％〜約５重量％の酵素有効分で存在する。好ましいタンパク質分解酵素は、アルカラーゼ（ALCALASE；登録商標、ノボインダストリ社（Novo Industri A/S））、ＢＰＮ’、プロテアーゼＡ及びプロテアーゼＢ（ジェネンコア（Genencor））、及びこれらの組み合わせからなる群から選択される。プロテアーゼＢがより好ましい。好ましいアミラーゼ酵素には、テルマミール（TERMAMYL；登録商標）、デュラミール（DURAMYL；登録商標）、並びに国際公開第９４／１８３１４Ａ１号（アントリム（Antrim）ら、１９９４年８月１８日公開、ジェネンコア・インターナショナル（Genencor International）に譲渡）、及び国際公開第９４／０２５９７Ａ１号（スベンセン（Svendsen）及びビスガード−フランツェン（Bisgard-Frantzen）、１９９４年２月３日公開、ノボノルディスク社（Novo Nordisk A/S）に譲渡）に記載されるアミラーゼ酵素が含まれる。好ましい酵素の更なる非限定的な例が、国際公開第９９／６３０３４Ａ１号（ビンソン（Vinson）ら、１９９９年１２月９日公開）に開示されている。
【００３２】
マイクロエマルション又はプロトマイクロエマルションの洗浄及び特に食器洗い組成物はまた、低水溶性油の重量で、典型的には約５，０００ｐｐｍ未満、好ましくは１００万当り約０部（ｐｐｍ）〜約１，５００ｐｐｍ、より好ましくは１０億当り約１部〜約１００ｐｐｍの水中溶解度を有する、低水溶性油を含有する。本明細書で有用な好ましい低水溶性油には、テルペン類、イソパラフィン類、上記溶解度を有する他の油、及びこれらの混合物が含まれる。
【００３３】
泡生成分配器なしでは、本明細書の洗浄及び／又は食器洗い組成物は、典型的には約５０％未満、好ましくは約０％〜約４０％、より好ましくは約０％〜約３５％の有効泡立ち希釈範囲を有する。しかしながら、本明細書における本発明の実施形態では、食器洗い組成物は、泡生成分配器と共に使用される時、少なくとも約５０％、好ましくは約５０％〜約１００％、より好ましくは約７５％〜約１００％、更により好ましくは約８５％〜約１００％の有効泡立ち希釈範囲を有する。有効泡立ち希釈範囲は、次のように計算される。表Ｉの石鹸泡生成曲線が、本明細書の石鹸泡シリンダー試験法によって、食器洗い組成物の様々な希釈溶液を試験することにより作り出される。そのような曲線は、泡生成分配器からシリンダー内への分配があるか又はないかのずれかで作り出すことができる。本明細書において、「有効泡」は、所与の食器洗い組成物に対して生成される泡の、石鹸泡生成曲線による最大容積の少なくとも半分（５０％）の泡として定義される。それ故に、泡生成分配器が使用されない時についての表Ｉでは、有効泡は、製品濃度約２８％〜約２％で形成されるが、これは２６％の有効泡立ち希釈範囲（すなわち、２８％〜２％）に換算される。しかしながら、同一の洗浄及び／又は食器洗い組成物が泡生成分配器と共に使用される（すなわち、これから分配される）時、分配される点（１００％製品濃度）から約３％の製品濃度に到達するまで、有効泡が生成されるのを見ることができる。これは、洗浄及び／又は食器洗いキットが、石鹸泡シリンダー試験による最大容積の泡が形成される希釈とはかなり異なる、食器洗い組成物の水に対する希釈で泡を生成するからである。したがって、表Ｉの食器洗い組成物が泡立ち分配器から分配される時の有効泡立ち希釈範囲は、９７％（すなわち、１００％〜３％）である。
【表１】
2006515643.tif 000003
【００３４】
本明細書で有用な洗浄及び／又は食器洗い組成物は、本明細書で定義される油可溶化試験により作り出される油可溶化曲線を有する。「有効油可溶化量」は、本明細書において、製品濃度（すなわち、希釈）の関数としてプロットされた油可溶化曲線により、所与の食器洗い組成物に対する最大油可溶化量の少なくとも２０％の油可溶化量として定義される。したがって、表Ｉでは、最大油可溶化量は、７０％製品濃度において約４．７であり、及びしたがって、有効油可溶化量は、少なくとも約０．９４の大きさである。有効油可溶化量は、約９６％〜約４２％の希釈範囲で生じるが、これは、約５４％の有効油可溶化希釈範囲に換算される。
【００３５】
表Ｉで見ることができるように、泡生成分配器のない石鹸泡生成曲線と有効油可溶化希釈範囲の間には、実質上重なり合いがない。同様に、泡生成分配器がなければ、有効泡立ち希釈範囲（２８％〜２％）と有効油可溶化希釈範囲（４２％〜９６％）の間にも重なり合いがないのを見ることができる。対照的に、泡生成分配器が採用される時には、有効泡立ち希釈範囲（３％〜１００％）は、有効油可溶化希釈範囲（４２％〜９６％）全体に完全に（１００％）重なり合う。好ましい実施形態では、有効泡立ち希釈範囲は、有効油可溶化希釈範囲に重なり合い、好ましくは少なくとも１０％だけ、より好ましくは約２５％〜約１００％だけ、特にマイクロエマルション又はプロトマイクロエマルションの場合に、更により好ましくは約５０％〜約１００％だけ有効油可溶化希釈範囲に重なり合う。更に、有効泡立ち希釈範囲は、油可溶化曲線中の油可溶化が最大の点と重なり合うのが殊に好ましい。したがって、本発明はユーザーに、油をより有効に可溶化する、ひいては洗浄を最適化する濃度／製品希釈において、その製品を使用するよう勧める。
【００３６】
油可溶化曲線がより有効になる、好ましくは最大限になる希釈において、消費者に受入れられ得る泡立ちを達成するために、そのような食器洗い組成物、特にマイクロエマルション及びプロトマイクロエマルション食器洗い組成物は、容器と本明細書の泡生成分配器とを必要とすることが、本発明で認識された。したがって、食器洗い組成物が容器及び泡生成分配器と共に使用される時、有効泡立ちは、容器及び泡生成分配器が使用されない時の石鹸泡生成曲線とは著しく異なる希釈ファクターにおいて生成されることが好ましい。理論により限定されることは意図しないが、そのような表が、マイクロエマルション及び／又はプロトマイクロエマルション洗浄組成物にも、本明細書で説明したように一般的に適用可能であることを、当業者は理解するであろうと考えられる。
【００３７】
本発明で有用な食器手洗い組成物、洗浄組成物、プロトマイクロエマルション組成物、及びマイクロエマルション組成物は、例えば、国際公開第９６／０１３０５Ａ１号（ファーンフォース（Farnworth）及びマーチン（Martin）、１９９６年１月１８日公開）；米国特許第５，８５４，１８７号（ブルム（Blum）ら、１９９８年１２月２９日発行）；米国特許第６，１４７，０４７号（ロビンス（Robbins）ら、２０００年１１月１４日発行）；国際公開第９９／５８６３１Ａ１号（ロビンス（Robbins）ら、１９９９年１１月１８日公開）；米国特許第４，５１１，４８８号（マッタ（Matta）、１９８５年４月１６日発行）；米国特許第５，０７５，０２６号（ロス（Loth）ら、１９９１年１２月２４日発行）；米国特許第５，０７６，９５４号（ロス（Loth）ら、１９９１年１２月３１日発行）；米国特許第ＵＳ０５０８２５８４号（ロス（Loth）ら、１９９２年１月２１日発行）；米国特許第５，１０８，６４３号（ロス（Loth）ら、１９９２年４月２８日発行）；並びに同時係属中の米国特許出願６０／４５１０６４（Ｐ＆Ｇ件名番号ＡＡ６１４ＦＰ）名称「プロトマイクロエマルション、プロトマイクロエマルション含有クリーニング器具、及びその使用法（Protomicroemulsion,Cleaning Implement Containing Same,And Method Of Use Therefor）」（フォード（Ford）ら、２００３年２月２８日出願）；同時係属中の米国特許出願６０／４７２９４１（Ｐ＆Ｇ件名番号ＡＡ６１４Ｐ２）名称「プロトマイクロエマルション、プロトマイクロエマルション含有クリーニング器具、及びその使用法（Protomicroemulsion,Cleaning Implement Containing Same,And Method Of Use Therefor）」（フォード（Ford）ら、２００３年５月２３日出願）；同時係属中の米国特許出願○○／○○○○○○（Ｐ＆Ｇ件名番号ＡＡ６１４Ｐ３）名称「プロトマイクロエマルション、プロトマイクロエマルション含有クリーニング器具、及びその使用法（Protomicroemulsion,Cleaning Implement Containing Same,And Method Of Use Therefor）」（フォード（Ford）ら、○○○○年○○月○○日出願）；及び同時係属中の米国特許出願○○／○○○○○○（Ｐ＆Ｇ件名番号ＡＡ６３３ＦＰ）名称「プロトマイクロエマルション、プロトマイクロエマルション含有クリーニング器具、及びその使用法（Protomicroemulsion,Cleaning Implement Containing Same,And Method Of Use Therefor）」（ハットン（Hutton）及びフォレイ（Foley）、○○○○年○○月○○日出願）に記載されるように、当技術分野において既知である。上記参考文献に記される食器洗い組成物又は上記組成物の変形物は、本明細書で説明する容器及び泡生成分配器と組み合わせて使用するのが特に好ましい。
【００３８】
本明細書の洗浄及び／又は食器洗い組成物は、典型的には約１０Ｐａ・ｓ未満、好ましくは約０．０１Ｐａ・ｓ〜約１０Ｐａ・ｓ、より好ましくは約０．０２Ｐａ・ｓ〜約５Ｐａ・ｓ、更により好ましくは約０．０３Ｐａ・ｓ〜約１Ｐａ・ｓ、更により好ましくは約０．０５Ｐａ・ｓ〜約０．４Ｐａ・ｓの粘度を有する。洗浄及び／又は食器洗い組成物が泡生成分配器から分配される時、泡立った食器洗い組成物が作り出される。
【００３９】
（成形アプリケータ）
成形アプリケータは、標準的なアプリケータと比較して、意外な程顕著に改善された結果と使用の容易さとを提供できることが更に発見された。成形アプリケータは、容易に手に持って、泡立った食器洗い組成物を洗浄する表面、すなわち食器に塗り付けるのに使用するように設計され、また大きさが決められている。泡立った食器洗い組成物が平らなアプリケータに適用される場合には、泡立った洗浄及び／又は食器洗い組成物が最初に接触する食器の上で急速にぬぐい取られて、次の食器を洗浄するための泡立った洗浄及び／又は食器洗い組成物が、平らなアプリケータ上に少ししか残らないことが判明した。これにより、泡立った洗浄及び／又は食器洗い組成物の使用は、組成物の使用距離が著しく減少するので費用増となることと、また新しい泡立った洗浄及び／又は食器洗い組成物を平らなアプリケータ上に常に適用する必要があるので面倒になることとの両方である。対照的に、泡立った洗浄及び／又は食器洗い組成物のための防護付き窪み及び／又はポケットのような受入れ領域を含む成形アプリケータは、泡立った食器洗い組成物をより有効に保持して長時間にわたり配分する。
【００４０】
成形アプリケータは、磨きに使用されることが多いので、少なくともその表面の１つは、研磨表面を含むのが好ましい。成形アプリケータは、典型的には、天然又は人造スポンジ、ブラシ、金属みがき具、織布材料、不織布材料、研磨材料、プラスチック材料、布地材料、マイクロファイバー洗浄材料、ポリマー材料、樹脂材料、ゴム材料、又はこれらの組み合わせ、好ましくは天然又は人造スポンジ、ブラシ、金属みがき具、研磨材料、発泡ゴム材料、機能性吸収性材料（ＦＡＭ）、ポリウレタン発泡体、及びこれらの組み合わせ、並びにより好ましくは、天然又は人造スポンジ、ブラシ、研磨材料、発泡ゴム材料、及びこれらの組み合わせなどの多孔質材料から選定され、全てのタイプとも連続気泡構造が殊に好ましい。そのような成形アプリケータは、多様な販売元から入手可能であり、例えば、米国ミネソタ州（St.Paul,Minnesota）のミネソタ・マイニング・アンド・マニュファクチャリング社（Minnesota Mining and Manufacturing Company；３Ｍ）などがある。成形アプリケータが比較的華奢な材料又は壊れやすい材料で形成される場合には、その材料は、不織布材料などの透水性でより堅固な材料で部分的又は完全に覆われるのが好ましい。やはり有用であるのは、プラスチック又はポリマー材料で形成された表面であり、例えば、米国ミネソタ州（St.Paul,Minnesota）のミネソタ・マイニング・アンド・マニュファクチャリング社（Minnesota Mining and Manufacturing Company；３Ｍ）から入手可能なもの、及び例えば、スコッチブライト（Scotch-Brite；商標）汎用みがきパッドに見られるものなどがある。
【００４１】
本明細書で有用なＦＡＭは、ＦＡＭの重量基準で好ましくは約２０ｇＨ2Ｏ／ｇを超える、より好ましくは４０ｇＨ2Ｏ／ｇを超える吸収能力を有する。そのような好ましいＦＡＭが、米国特許第５，２６０，３４５号（ドマレーズ（DesMarais）ら、１９９３年１１月９日発行）、又は米国特許第５，８８９，８９３号（ダイエル（Dyer）ら、１９９９年５月４日発行）に記載されている。好ましいポリウレタンの例が、米国特許第５，０８９，５３４号（トーエン（Thoen）ら、１９９２年２月１８日発行）；米国特許第４，７８９，６９０号（ミロバノビック−レリック（Milovanovic-Lerik）ら、１９８８年１２月６日発行）；日本特許１０−１８２７８０（Japanese Patent Publication No.10-182780）（花王（株）（Kao Corporation）、１９９８年７月７日公開）；日本特許９−３０２１５（Japanese Patent Publication No.9-30215）（横浜ゴム（株）（Yokohama Gum）、１９９７年２月４日公開）；日本特許５−７０５４４（Japanese Patent Publication No.5-70544）（ダウケミカル社（The Dow Chemical Company）、１９９３年３月２３日公開）；及び日本特許１０−１７６０７３（Japanese Patent Publication No.10-176073）（（株）ブリヂストン（Bridgestone Company）、１９９８年６月３０日公開）に記載されている。
【００４２】
好ましくは、成形アプリケータは硬質ではなく、むしろ少なくとも１つの弾力性部分、好ましくは研磨表面で覆われた弾力性部分を有する。そのような任意の弾力性部分によって、ユーザーは、こすり面と食器の間の接触量、圧力などを変化させることができる。したがって、泡立った食器洗い組成物は、泡生成分配器から直接成形アプリケータの中又は上に適用されるのが好ましい。
【００４３】
図２を参照すると、本明細書の好ましい実施形態の成形アプリケータ１２の上部斜視切り欠き図が示されているが、スポンジタイプの成形アプリケータ１２が受入れ領域５０を含み、これに泡立った食器洗い組成物が適用されて使用される。したがって、受入れ領域５０は、典型的には、壁５２によって境界を設けられ、これが、泡立った組成物が成形アプリケータ１２から急速にこすり取られるのを防ぐ。受入れ領域は、成形アプリケータと接触している泡立った食器洗い組成物を保持するいかなる形状及びデザインのものでもよいが、成形アプリケータ中の凹面窪みであるのが好ましい。好ましい実施形態では、受入れ領域は、泡立った洗剤を受入れ領域内に有効に保持して通常の使用時間にわたって分配する、比較的急勾配の凹面壁又は他の構造を含む。受入れ領域は、泡立った食器洗い組成物を、典型的には約１ｍｌ〜約２００ｍｌ、好ましくは約２ｍｌ〜約１５０ｍｌ、より好ましくは約５ｍｌ〜約１００ｍｌ保持する。
【００４４】
図２では、成形アプリケータ１２は更に、食器を擦るための複数の研磨表面５４を含む。少なくとも１つの研磨表面が成形アプリケータの上に設けられているのが殊に好ましい。
【００４５】
図３は、成形アプリケータ１２の好ましい実施形態の斜視切り欠き図を示すが、これは、ポケットのような受入れ領域５０を有するスポンジタイプのアプリケータ１２として形成され、その内部寸法が破線で示されている。泡立った食器洗い組成物は、口５６を通して受入れ領域５０へ加えられるが、口は、所望により、永久的に開いたままでもよいし又は閉止可能であってもよい。研磨表面５４が、成形アプリケータ１２の実質的に外側全体を覆って、食器から汚れ落としを助ける。
【００４６】
（試験方法）
本明細書の粘度は、ブルックフィールド粘度計モデル番号ＬＶＤＶＩＩ＋で２０℃にて測定する。これらの測定に使用するスピンドルは、異なる粘度の製品を測定するのに適切な速度のＳ３１スピンドルとし、例えば１Ｐａ・ｓより大きい粘度の製品を測定するためには１２ｒｐｍ；０．５Ｐａ・ｓ〜１Ｐａ・ｓの間の粘度の製品を測定するためには３０ｒｐｍ；０．５Ｐａ・ｓ未満の粘度の製品を測定するためには６０ｒｐｍとする。
【００４７】
可溶化容量を測定するために、試験する製品の１０．０ｇ（特定の希釈を試験する場合、この量は水を含む）を２５ｍｌのシンチレーションバイアル瓶の中に入れる。これに、０．０４５％のピラクロムレッド（Pylakrome RED）−ＬＸ１９０３（米国アリゾナ州（Tempe,Arizona）のピラムプロダクツ（Pylam Products）から入手可能なソルベントレッド（SOLVENT RED）２４ＣＡＳ番号８５−８３−６及びソルベントレッド２６ＣＡＳ番号４４７７−７９−６の混合物）染料で染色した食品等級のキャノーラ油０．１ｇを添加し、バイアル瓶に蓋をかぶせる。バイアル瓶を５秒間手で強く振り、ＩＳＯ７０２７濁度測定手順で透明になるまで、又は５分間経過するまでのいずれかまで静置する。ＩＳＯ７０２７方法は、米国コネチカット州（Stamford,Connecticut）のオメガエンジニアリング社（Omega Engineering,Inc.）から入手可能なものなどの、濁度測定設備で波長８８０ナノメートルにおいて濁度を測定する。バイアル瓶が透明になる場合には、規定の時間内では透明にならなくなるまで、油を更に０．１ｇの増分で添加する。溶解した油の百分率を、製品１０．０ｇで可溶化（すなわちバイアル瓶が透明化）に成功した油の最大量として記録する。本明細書の食器洗い組成物は、製品濃度７５％で試験する時、好ましくは少なくとも約１ｇの染色したキャノーラ油を、より好ましくは少なくとも約３ｇの染色したキャノーラ油を、更により好ましくは少なくとも約４ｇの染色したキャノーラ油を可溶化する。
【００４８】
泡立ち特性は、石鹸泡シリンダー試験機（ＳＣＴ）を採用し、そのデータを使用して石鹸泡生成曲線をプロットすることにより、測定可能である。ＳＣＴは、シリンダー４つの組を有する。各シリンダーは、典型的には、長さ３０ｃｍ、直径１０ｃｍである。シリンダーの壁は厚さ０．５ｃｍ、シリンダーの底は厚さ１ｃｍである。ＳＣＴによって、密閉シリンダー（典型的には、複数の透明なプラスチックシリンダー）の中で試験溶液を１分間当り約２１回転の速度で２分間回転させ、その後で泡の高さを測定する。次いで汚れを試験溶液に添加して、再び攪拌し、得られた泡の高さを再度測定してもよい。そのような試験の使用により、当初の組成物泡立ち特性と共に、洗われている表面から更に汚れが導入される時の使用中の泡立ち特性をシミュレートすることができる。
【００４９】
泡立ち特性試験は次の通りである。
１．一組のきれいで乾燥した校正済みシリンダーと、水硬度が１００万当り１３６．８部（１リットル当り２．１グレイン）である２５℃の水とを用意する。
２．適切な量の試験組成物を各シリンダーに加え、水を添加して総量５００ｍｌの組成物及び水を各シリンダー内に作る。
３．シリンダーを密封し、ＳＣＴに置く。
４．ＳＣＴのスイッチを入れて、シリンダーを２分間回転させる。
５．１分以内に、石鹸泡の高さをセンチメートルで測定する。
６．泡立ち特性は、組成物により生成される石鹸泡の平均高さ（センチメートル）である。
本発明による組成物は、好ましくは少なくとも約２ｃｍ、より好ましくは少なくとも約３ｃｍ、更により好ましくは少なくとも約４ｃｍの泡立ち特性最大値を有する。
【００５０】
泡対重量の比は、製品（グラム）当りの生成された泡（ｍｌ）の測定値である。泡対重量の比は、次のように測定する。メスシリンダーなどの容積測定器具の重量を測定して、自重を得る。次に、適切な場合には泡生成分配器を使用して（非連続分配器具については設定ストローク数、又は連続分配器具については設定時間）、製品をメスシリンダーの中へ分配する。推奨持続時間は、非連続器具（ポンプ、噴霧器）については１０ストローク、連続器具については１０秒間である。試験中の分配速度は、標準的な使用シナリオの間の分配速度と一致しているべきである。例えば、引き金噴霧器については１分当り１２０ストローク、又は掌ポンプについては１分当り４５ストロークである。
【００５１】
生成された泡の容積は、容積測定器具を使用してｍｌで測定する。
分配された製品を含む容積測定器具の重量をグラムで測定する。この重量から容積測定器具の自重を引き算する。結果が分配された製品のグラムである。最後に、泡対重量の比（ｍｌ／ｇ）を、生成された泡の容積（ｍｌ）を分配された製品の重量（ｇ）で割り算することにより、計算する。
泡対重量の比ｍｌ／ｇは、食器洗い組成物の密度を掛算することにより、製品ｍＬ当りの泡ｍＬに容易に換算される。
【実施例】
【００５２】
本発明の実施例を以下の実例によって示すが、これによって本発明をいかなる方法においても限定することは意図していない。これらの実施例は、本発明の精神及び範囲から逸脱することなく、その多くの変形例が可能であるので、本発明を制限するものとして解釈されるべきではない。
【００５３】
（実施例１）
食器洗いキットは、マイクロエマルション食器洗い組成物で満たされた３００ｍｌの中空プラスチック容器と、図１に示されるものと同様な、エアスプレー（Airspray）からの、取り付けられたＴ１シリーズ発泡器とを含む。図３による成形アプリケータも含まれる。分配されると、泡立った食器洗い組成物は、２ｍｌ／ｇより大きい泡対重量の比を有し、泡は、クリームのような均一な見かけ及び感触を有する。泡立った食器洗い組成物は、泡生成分配器のノズルを成形アプリケータの口の中へ突き刺してアクチベータの上に押し下げることにより、泡生成分配器からポケットタイプの成形アプリケータの中へ分配される。上述のように使用される時、食器洗いキットは、良好な使用距離と、食器を洗浄する標準的な使用の間中続く泡とを提供する。しかしながら、泡生成分配器が使用されない（すなわち、食器洗い組成物が容器から単に注がれる）場合、有効泡立ち希釈範囲は、有効油可溶化希釈範囲にはっきりとは重なり合わない。
【００５４】
（実施例２）
イオン系のマイクロエマルションが提供され、実施例１の泡生成分配器と共に詰め込まれる。泡生成分配器の採用あり及びなしの石鹸泡生成曲線、並びに油可溶化曲線がプロットされて、表Ｉの結果となる。
【００５５】
本発明の特定の実施形態を例示及び説明したが、本発明の精神及び範囲から逸脱することなく、様々なその他の変形及び変更が可能であることは、当業者に明らかであろう。したがって、本発明の範囲内にあるそのようなすべての変形及び変更を、添付の特許請求の範囲で扱うものとする。
【図面の簡単な説明】
【００５６】
【図１】泡生成分配器の好ましい実施形態の切り欠き図。
【図２】成形アプリケータの好ましい実施形態の上部斜視切り欠き図。
【図３】成形アプリケータの好ましい実施形態の斜視切り欠き図。
【図１】
2006515643.tif 000004
【図２】
2006515643.tif 000005
【図３】
2006515643.tif 000006
【手続補正書】
【提出日】平成17年3月10日(2005.3.10)
【手続補正１】
【補正対象書類名】図面
【補正対象項目名】図１
【補正方法】変更
【補正の内容】
【図１】
2006515643.tif 000007
【国際調査報告】
2006515643.tif 000008
2006515643.tif 000009
2006515643.tif 000010
2006515643.tif 000011